【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
割り型装入ファンネル（１０，１１０，２１０）の入口（３６）から前記割り型装入ファンネル（１０，１１０，２１０）の出口（４２）まで溶融ガラスのゴブ（Ｇ）を案内する前記割り型装入ファンネル（１０，１１０，２１０）であって、
取り付けブロック（４８，２４８）によって互いに結合される２つ又は３つ以上の個別のファンネルセグメント（１２，１４，１１２，１１４，２１２，２１４）を有し、前記２つ又は３つ以上の個別のファンネルセグメントの各々は、上側部分及び下側部分を有し、前記個別のファンネルセグメントの前記上側部分は、共に前記ファンネルの前記入口を提供し、この入口は、入口平面（４４）を有し、前記個別のファンネルセグメントの前記下側部分は、共に前記ファンネルの前記出口を提供し、この出口は、出口平面（４６）を有し、前記個別のファンネルセグメントの前記下側部分の各々は、凹状の内部案内面（２８，３０，１２８，１３０）を有し、前記凹状の内部案内面は、互いに協働して長手方向軸線（Ｌ）に沿って延び且つ前記ファンネルの前記出口で終わる案内通路（３８，１３８，２３８）を構成するよう互いに配置されている、割り型装入ファンネル。
【請求項２】
前記割り型装入ファンネルは、下側部分（１８，２１８）及び前記下側部分の各側部から延びる側方フランジ（２４，２２４）を備えた第１のファンネルセグメント（１２，１１２，２１２）を有し、前記第１のファンネルセグメントの前記下側部分は、第１の凹状内部案内面（２８，１２８）を有し、
下側部分（２０，２２０）及び前記下側部分の各側部から延びる側方フランジ（２４，２２４）を備えた第２のファンネルセグメント（１４，１１４，２１４）を有し、前記第２のファンネルセグメントの前記下側部分は、第２の凹状内部案内面（３０，１３０）を有し、
１対の取り付けブロック（４８，２４８）であって、前記取り付けブロックの一方は、前記第１のファンネルセグメントの前記下側部分から延びる前記側方フランジの一方を、前記第２のファンネルセグメントの前記下側部分から延びる前記側方フランジの一方に固定し、さらに、前記取り付けブロックの他方は、前記第１のファンネルセグメントの前記下側部分から延びる前記側方フランジの他方を、前記第２のファンネルセグメントの前記下側部分から延びる前記側方フランジの他方に固定する、請求項１記載の割り型装入ファンネル。
【請求項３】
前記第１の凹状内部案内面は、所定の断面プロフィールを有し、さらに、前記第２の凹状内部案内面は、所定の断面プロフィールを有し、前記第１の凹状内部案内面及び前記第２の凹状内部案内面の所定の断面プロフィールは、同一又は異なっている、請求項２記載の割り型装入ファンネル。
【請求項４】
前記第１の凹状内部案内面と前記第２の凹状内部案内面の断面プロフィールは、互いに異なっている、請求項２記載の割り型装入ファンネル。
【請求項５】
前記第１のファンネルセグメントは、前記第１の凹状内部案内面から外方に傾けられた第１の凹状内面（３２）を備えた上側部分（１６，２１６）を更に有し、前記第２のファンネルセグメントは、前記第２の凹状内部案内面から外方に傾けられた第２の凹状内面（３４）を備えた上側部分（２０，２２０）を更に有し、前記上側部分の前記第１の凹状内面と前記第２の凹状内面は、前記第１のファンネルセグメント及び前記第２のファンネルセグメントの前記下側部分によって構成される前記案内通路と通じる前記入口（３６）を構成するよう互いに向かい合っている、請求項２記載の割り型装入ファンネル。
【請求項６】
前記１対の取り付けブロックの各々は、前記第１の凹状内部案内面と前記第２の凹状内部案内面を互いに向かって傾けるようテーパしており、前記案内通路の前記断面積は、前記案内通路の前記長手方向軸線沿いに下方へ前記出口に向かって次第に減少している、請求項５記載の割り型装入ファンネル。
【請求項７】
前記取り付けブロックは、前記第１の凹状内部案内面と前記第２の凹状内部案内面を互いに向かって傾けるよう前記取り付けブロックの長さに沿ってテーパしていて、前記案内通路の前記断面積は、前記長手方向軸線沿いに下方に変化している、請求項６記載の割り型装入ファンネル。
【請求項８】
溶融ガラスのゴブをブランクモールド中に送り込む装置であって、前記装置は、
少なくとも１つの開口部（７６）を構成する本体（７４）を有する装入ファンネルホルダ（７２）と、
前記ファンネルホルダによって回転可能に支持され且つ前記本体の前記少なくとも一つの開口部を通って延びる請求項１記載の前記割り型装入ファンネルとを有する、装置。
【請求項９】
前記ファンネルを前記ファンネルホルダに回転可能に取り付けるよう前記装入ファンネルホルダの前記少なくとも１つの開口部内に回転可能に受け入れられたファンネルマウント（８６）を更に有し、前記ファンネルマウントは、円形フレーム（８８）及び前記円形フレームから垂下した２本の互いに反対側に位置すると共に間隔を置いて設けられた脚部（９０）を有し、前記２本の互いに反対側の脚部の各々は、肩（９４）及び前記肩から下方に延びる垂直の溝（９８）を構成する１対の細長い隆起部（９６）を有する、請求項８記載の装置。
【請求項１０】
前記割り型装入ファンネルは、
第１のファンネルセグメント（１２，１１２，２１２）を有し、前記第１のファンネルセグメントは、第１の凹状内部案内面（２８，１２８）及び前記第１のファンネルセグメントの前記下側部分の各側部から延びる側方フランジ（２４，２２４）を備えた下側部分（１８，２１８）を有し、
第２のファンネルセグメント（１４，１１４，２１４）を有し、前記第２のファンネルセグメントは、第２の凹状内部案内面（３０，１３０）及び前記第２のファンネルセグメントの前記下側部分の各側方から延びる側方フランジ（２４，２２４）を備えた下側部分（２０，２２０）を有し、
１対の取り付けブロック（４８）であって、前記取り付けブロックの一方は、前記第１のファンネルセグメントの前記下側部分から延びる前記側方フランジの一方を、前記第２のファンネルセグメントの前記下側部分から延びる前記側方フランジの一方に固定し、さらに、前記取り付けブロックの他方は、前記第１のファンネルセグメントの前記下側部分から延びる前記側方フランジの他方を、前記第２のファンネルセグメントの前記下側部分から延びる前記側方フランジの他方に固定し、さらに、前記１対の取り付けブロックの各々は、突出した垂直案内（５８）及び前記案内の上方に配置された突出している水平停止部（６０）を有し、前記取り付けブロックの前記突出垂直案内は、前記取り付けブロックの前記停止部が前記垂下脚部の前記肩に当接状態で位置するよう前記ファンネルマウントの前記垂下脚部の前記垂直溝内に受け入れられている、請求項９記載の装置。
【請求項１１】
前記割り型装入ファンネルは、
第１のファンネルセグメント（１２，１１２，２１２）を有し、前記第１のファンネルセグメントは、第１の凹状内部案内面（２８，１２８）及び前記第１のファンネルセグメントの前記下側部分の各側部から延びる側方フランジ（２４，２２４）を備えた下側部分（１８，２１８）を有し、
第２のファンネルセグメント（１４，１１４，２１４）を有し、前記第２のファンネルセグメントは、第２の凹状内部案内面（３０，１３０）及び前記第２のファンネルセグメントの前記下側部分の各側方から延びる側方フランジ（２４，２２４）を備えた下側部分（２０，２２０）を有し、
１対の取り付けブロック（２４８）であって、前記取り付けブロックの一方は、前記第１のファンネルセグメントの前記下側部分から延びる前記側方フランジの一方を、前記第２のファンネルセグメントの前記下側部分から延びる前記側方フランジの一方に固定し、さらに、前記取り付けブロックの他方は、前記第１のファンネルセグメントの前記下側部分から延びる前記側方フランジの他方を、前記第２のファンネルセグメントの前記下側部分から延びる前記側方フランジの他方に固定し、前記取り付けブロックの各々は、前記ファンネルセグメントの前記互いに反対側に位置した状態で向かい合う側方フランジ相互間に設けられた全体として長方形の部分（２５３）及び前記長方形部分の半径方向外方の端部から延びる半円筒形部分（２５７）を有し、前記取り付けブロックの各々の前記半円筒形部分は、前記ファンネルホルダの前記本体の前記開口部の周囲に沿ってぐるりと設けられる半径方向内側に延びる突起（２７８）の頂面（２８０）に対して位置決めされる軸方向に向いた位置決め表面（２９２）を有している、請求項９記載の装置。
【請求項１２】
ガラス器成形機であって、
溶融ガラスのゴブをガラスパリソンの状態に成形するブランクモールド（６６）を有し、
前記ブランクモールドの上方に配置されていて溶融ガラスゴブを前記ブランクモールド中に案内する請求項１記載の前記割り型装入ファンネルを有する、ガラス器成形機。
【請求項１３】
溶融ガラスのゴブ（Ｇ）をゴブ送り出しシステム（６４）からブランクモールド（６６）に送り出す方法であって、前記方法は、
請求項１記載の前記割り型装入ファンネルを回転可能に運ぶ前記ファンネルホルダ（７２）を用意するステップと、
前記ファンネルを前記ブランクモールドのモールドキャビティの上方に配置して前記案内通路が前記モールドキャビティと垂直方向に整列するようにするステップと、
溶融ガラスのゴブをデフレクタ（１０８）から前記ファンネルの前記案内通路中に通して前記モールドキャビティに送り込むステップであって、前記デフレクタは、基部（１１２）及び前記基部から外方に延びる２つの側壁（１１４）を備えたシュート（１１０）を有する、前記送り込むステップと、
前記溶融ガラスのゴブが前記モールドキャビティ中に導入された後、前記ファンネルを前記モールドキャビティから遠ざけるステップとを含む、方法。
【請求項１４】
前記ファンネルを回転させて前記ファンネルの前記案内通路を前記デフレクタの前記シュートに対して割り送りするステップを更に含む、請求項１３記載の方法。